(57)【特許請求の範囲】
【請求項１】
残留側波帯変調（ＶＳＢ）信号を受信する受信機のタイミング回復装置であって、該装置は、前記受信信号を第１の方向へ第１の所定量だけ周波数偏移させて第１の周波数偏移信号を発生する第１の手段と、前記受信信号を第２の方向へ第２の所定量だけ周波数偏移させて第２の周波数偏移信号を発生する第２の手段と、前記第１の周波数偏移手段に接続されて前記第１の周波数偏移信号を濾波する第１のフィルタと、前記第２の周波数偏移手段に接続されて前記第２の周波数偏移信号を濾波する第２のフィルタと、いずれか一方の共役複素数をとることなく前記濾波された信号を乗算してタイミング情報を抽出することができる出力信号を発生する手段とを具備するタイミング回復装置。
【請求項２】
受信機が受信する残留側波帯変調信号からタイミング情報を回復する方法であって、該方法は、前記ＶＳＢ信号を左へ所定量だけ周波数偏移させて前記ＶＳＢ信号の左側成分信号を発生するステップと、前記ＶＳＢ信号を右へ所定量だけ周波数偏移させて前記ＶＳＢ信号の右側成分信号を発生するステップと、前記左側成分信号を濾波して濾波された左側成分信号を発生するステップと、前記右側成分信号を濾波して濾波された右側成分信号を発生するステップと、いずれの信号の共役複素数もとることなく前記濾波された左側および右側成分信号を乗算することによりタイミング情報を有する出力信号を発生するステップとを含むタイミング情報回復方法。
【発明の詳細な説明】
【０００１】
【発明の属する技術分野】
本発明は一般的にデジタル通信の分野に関する。特に、本発明は残留側波帯変調におけるタイミング回復装置およびその実施方法に関する。
【０００２】
【従来の技術】
残留側波帯変調（ＶＳＢ）は最近Ｇｒａｎｄ  ＡｌｌｉａｎｃｅによりＨＤＴＶ（高精細度テレビジョン）の地上放送の変調標準として直交振幅変調（ＱＡＭ）に優先して選択された。残留側波帯変調はデジタルケーブル伝送の舞台においても重要である。
【０００３】
現在デジタルビデオ伝送テストで使用されている唯一の残留側波帯変調はゼニスで設計されたものである。ゼニスの設計では多量のアナログ処理が行われ、受信機がイコライザのすぐ前で受信信号を記号レートでサンプリングすることにより受信信号をデジタル信号へ変換する。ゼニスシステムでは、タイミング回復はデータ内の低周波トレーニングパルスを使用して実現される。パルス周波数が高ければ、記号の大きい部分がデータの伝送ではなくタイミングのために使用され、帯域幅は非効率的となる。パルス周波数が低ければ、タイミング回復回路は非常に低いレートで情報を受信するため非常に緩やかに収束することになる。
【０００４】
理想的には受信機アナログ／デジタルコンバータ（ＡＤＣ）は送信機のデジタル／アナログコンバータ（ＤＡＣ）と同じ位相および周波数でサンプリングする。送信機および受信機のクロックは物理的に別個であり公称的に同じ周波数であるにすぎないため、ＡＤＣは幾分異なる周波数および未知の位相でデータをサンプリングする。したがって、受信機クロックの周波数および位相エラーを修正するためにタイミング回復が必要となる。代表的にタイミング回復アルゴリズムでは位相および／もしくは周波数エラーに比例する出力が発生されそれを帰還システムで使用して直接ＡＤＣサンプリングレートを直接調整するかもしくはＡＤＣの出力が再サンプリングされる。
【０００５】
残留側波帯変調受信機の市場が成長して価格が低下するにつれ、残留側波帯変調受信機のデジタル処理量が増大してきている。したがって、残留側波帯変調のためのデジタルタイミング回復方式を開発することに対するニーズが生じている。直交振幅変調システムにおいて最も良く知られているデジタルタイミング回復方式の１つは元々１９７８年５月、ＩＥＥＥ  Ｔｒａｎｓａｃｔｉｏｎ  ｏｎＣｏｍｍｕｎｉｃａｔｉｏｎｓ，第ＣＯＭ−２６巻、第５号の論文“全デジタルモデム受信機における通過域タイミング回復”においてＧｏｄａｒｄにより提案されたＢＥＣＭ（ｂａｎｄ  ｅｄｇｅ  ｃｏｍｐｏｎｅｎｔ  ｍａｘｉｍｉｚａｔｉｏｎ）である。ＢＥＣＭは信号を復調や復号することなく通過域信号から直接タイミング位相情報を抽出する方法である。それはトレーニングパルスを必要とせずかつ帰還ループ無しでＡＤＣの出力をその入力として受信するブラインドタイミング回復技術である。しかしながら、ＢＥＣＭは残留側波帯変調に直接適用しても作動しない。
【０００６】
【発明が解決しようとする課題】
したがって、全デジタル受信機を実現するための残留側波帯変調におけるタイミング回復装置および方法に対するニーズがある。
【０００７】
【課題を解決するための手段】
本発明により、従来の回路や方法の欠点を解消もしくは実質的に低減するタイミング回復装置および方法が提供される。
【０００８】
本発明の１つの局面において、装置は受信した残留側波帯（ＶＳＢ）変調信号から左側成分信号および右側成分信号を発生し、フィルタＢ1 （ｆ）およびＢr （ｆ）が左側成分信号および右側成分信号をそれぞれ濾波する。次に濾波された信号は、ＢＥＣＭにおけるように、いずれかの信号の共役複素数もとることなく互いに乗算される。
【０００９】
本発明の別の局面において、発生された出力信号を帰還ループで使用してアナログ／デジタルコンバータのサンプルレートもしくはＡＤＣの出力が入力されるインタポレータの再サンプリング位置が調整される。
【００１０】
本発明のさらに別の局面において、受信機が受信した残留側波帯（ＶＳＢ）変調信号からタイミング情報を回復する方法は前記ＶＳＢ信号から左側成分信号を発生しＶＳＢ信号に
【数１】
0003805439.tif 000002
を乗じて右側成分信号を発生する。左側および右側成分信号は共に低域濾波され、濾波された信号は最初にいずれかの信号の共役複素数をとることなく一緒に乗算される。次にこうして得られる信号を使用してＶＳＢ信号をサンプルするレートが制御される。
【００１１】
【発明の実施の形態】
図１を参照して、本発明の教示に従って構成されたタイミング回復アルゴリズムおよび回路１０へ受信信号ｘ（ｔ）が入力として与えられる。ベースバンド信号ｘ（ｔ）は次のような形式であり、
【数２】
0003805439.tif 000003
ここに、ａn は第ｎ番目の入力データであり、記号，は記号周期であり、ｈ（ｔ）はそのスペクトルが送信機出力信号の正の周波数部分の復調スペクトルである複素パルス形状であり、τS は評価すべきタイミング位相エラーである。複素ベースバンドスペクトルを図２に示す。ベースバンド信号は直交振幅変調のようにゼロ周波数軸を中心としてその周りに配置したり、ＶＳＢのようにゼロ周波数の一方側だけに配置する必要はないことをお判り願いたい。これから引き出される事柄は任意のｈ（ｔ）のより一般的なケースに適用できる。
【００１２】
バンドエッジ成分は信号のスペクトルを左右へ偏移させてスペクトルの各エッジが原点に来るようにし、次に低域濾波することにより発生される。一般論として、図３および図４に示すように、それぞれ任意に右へ偏移ｆr および左へ偏移ｆ1 を行って右側成分ｒ（ｔ）および左側成分ｌ（ｔ）を発生できるものと仮定する。右へ周波数偏移することにより次のような結果が得られる。
【数３】
0003805439.tif 000004
ここに、
【数４】
0003805439.tif 000005
であって、それは回転したデータベクトルであり、かつ、
【数５】
0003805439.tif 000006
は変調されたパルス形状である。同様に、左側成分は、
【数６】
0003805439.tif 000007
となり、ここに、
【数７】
0003805439.tif 000008
であって、それは回転したデータベクトルであり、
【数８】
0003805439.tif 000009
は変調したパルス形状である。
【００１３】
右側成分および左側成分の各々が２つのフィルタ、Ｂr （ｆ）およびＢ1 （ｆ）、へ入力として与えられて、それぞれ、λ（ｔ）およびμ（ｔ）を発生する。好ましくは、フィルタＢr （ｆ）およびＢ1 （ｆ）は非常に狭い帯域幅のローパスフィルタである。濾波された信号は次のようになる。
【数９】
0003805439.tif 000010
図１に示すように、出力は次のようになる。
【数１０】
0003805439.tif 000011
λ（ｔ）の共役複素数が予めとられるバンドエッジ成分の最大化、
ｇ（ｔ）＝λ（ｔ）* μ（ｔ）のために、項が互いに乗算されることをお判り願いたい。
【００１４】
データが独立していて同じように分散されかつゼロ平均であれば、
【数１１】
0003805439.tif 000012
となり、ここに、
【数１２】
0003805439.tif 000013
は記号パワーである。出力の期待値は次のようになり、
【数１３】
0003805439.tif 000014
指数和からデルタ和へ変換される。
【数１４】
0003805439.tif 000015
ここに、
【数１５】
0003805439.tif 000016
は右側および左側成分の周波数オフセットの和である。
１次元線積分の和へ変換された２次元積分を図５に示し、周波数平面内のデルタ関数エッジの位置が示されている。したがって、
【数１６】
0003805439.tif 000017
残留側波帯変調に対する解が存在し、それは１／２Ｔを僅かに越えるスペクトル幅のパルス形状を有している。ｆr ＝０に設定すると、
【数１７】
0003805439.tif 000018
は原点に１つのエッジを有しかつゼロおよびｓ／２Ｔにもエッジを有し、ｓはどのエッジが原点にあるかによって＋１もしくは−１となる。ｋ＝ｓであれば、（１０）式の積分の第２項は、
【数１８】
0003805439.tif 000019
となり、ｓ／２Ｔおよびｓ／Ｔにエッジを有している。したがって、積分の最初の２つの項は１つのエッジにおいて位相情報と重畳することがない。（１０）式の期待値の時間依存性を排除するために、
【数１９】
0003805439.tif 000020
を設定し、ｋ＝ｓに対して、
【数２０】
0003805439.tif 000021
となるようにする。フィルタＢr （ｆ）およびＢ1 （ｆ）はｋ＝ｓにおける線積分だけが有意となるように選択される。
【００１５】
Ｂr （ｆ）およびＢ1 （ｆ）を求める例として、ｓ＝−１を設定するものとする。デルタ関数エッジ位置は図６に示す通りである。点線領域２０−２４は２軸のエネルギ位置を表す。水平および垂直斜線領域が重畳する所でのみ積分により非ゼロ結果が得られる。垂直斜線領域２６は、−１／２Ｔ周りの当該領域を保持する場合に必要な、Ｂr （ｆ）からｆ1 までのバンドパス領域を表す。Ｂ1 （ｆ）からｆ2 までのフィルタの位置は水平斜線領域２７で表される。
【００１６】
ｋ＝−１に対して、２つの斜線領域２６，２７および２つの点線領域２０，２３はデルタ関数エッジと一致し非ゼロ結果を生じる。４つの領域２０，２３，２６，２７の全部の交点を通るデルタ関数エッジは他には無いため、選択されたフィルタ対も他のｋ値に関連する項を全て棄却することがお判りと思われる。しかしながら、Ｂ1 （ｆ）が強制的に実フィルタとされていて、水平斜線領域２７が原点に反映されておれば、ｋ＝−２に関連するデルタ関数エッジは４つの領域全部の交点を通る。したがって、ｋ＝−２は加法において重要である。しかしながら、Ｂr （ｆ）が強制的に実とされると、デルタ関数エッジと４つの全領域の交点は他には存在せず、余分な不要項が加法に加わらないようにされる。
【００１７】
したがって、図７に示すように選択されたフィルタに対してｓ＝−１であれば、最終結果は次のようになる。
【数２１】
0003805439.tif 000022
所望する結果はその期待値がタイミング位相エラーに位相従属性である修正されたバンドエッジ成分最大化（ＭＢＥＣＭ）関数である。
【００１８】
バンドエッジ成分最大化と修正されたバンドエッジ成分最大化の差を図７Ａおよび図７Ｂにグラフで示す。バンドエッジ成分最大化の場合、図７Ａに示すように、像は元のスペクトルをｋ／Ｔだけ偏移させて形成される。像がオリジナルに重畳するには、オリジナルの幅は少なくとも１／Ｔでなければならず、それは直交振幅変調にも当てはまるが残留側波変調には当てはまらない。したがって、バンドエッジ成分最大化は残留側波変調には有効に作用しない。
【００１９】
しかしながら、図７Ｂに示すように、修正されたバンドエッジ成分最大化の場合にはオリジナルスペクトルをスペクトルの１つのエッジについて反射させてからｋ／Ｔだけ偏移させて像が形成される。１／Ｔだけ偏移させることにより残留側波変調に対してオリジナルに重畳する像が得られ、それは像の長さの２倍だけ離されたオリジナルのエッジと像のエッジがあるためである。
【００２０】
図８を参照して、本発明の教示に従って構成されたタイミング回復回路３０を示す。実線は複素信号を示す。チャネルから受信されたアナログベースバンド信号ｘ（ｔ）が入力としてアナログ／デジタルコンバータ（ＡＤＣ）３２へ与えられデジタル信号へ変換される。ｆr ＝０およびｆ1 ＝１／Ｔを設定し、得られる変調された左側および右側成分信号ｌ（ｔ）およびｒ（ｔ）が、それぞれ、ローパスフィルタＢ1 （ｆ）およびＢr （ｆ）により濾波される。タイミング回復回路３０の設計を単純なものに維持するために、単極ＩＩＲ（無限インパルス応答）フィルタ３６，３８を使用して４／Ｔのサンプリングレートに対してアナログ／デジタルコンバータ３２において、
【数２２】
0003805439.tif 000023
および
【数２３】
0003805439.tif 000024
が選択されるようにする。Ｂr （ｚ）も実となり得ることを思い出していただきたい。
【数２４】
0003805439.tif 000025
濾波された信号、μ（ｔ）およびλ（ｔ）、を乗じてｇ（ｔ）が得られる。
【００２１】
ＨＤＴＶに対してゼニスから提案されている残留側波帯変調では、イコライザが記号レートでサンプリングを行う。出力ｇ（ｔ）がローパスフィルタ４０へ与えられてノイズが解消される。ローパスフィルタは０．９９９９に極を有し修正されたバンドエッジ成分最大化出力の移動平均を得る単極フィルタとすることができる。次にフィルタ４０からの平均を回転させて結果の位相バイアスを除去し位相検出器回路４２へ与えられる。次に、位相検出器４２の出力がゼロオーダもしくは定スケーリングループフィルタ４４へ与えられる。ループフィルタ４４の出力は電圧制御発振器（ＶＣＯ）への制御入力として使用され、それはアナログ／デジタルコントローラ３２のサンプリング周波数を変える。アナログ／デジタルコントローラ３２が正しい周波数および位相でサンプリングしている場合にはｌ（ｔ）は復調出力となる。
【００２２】
例えば、１９８８年１０月、ＣＡ，Ｐａｃｉｆｉｃ  Ｇｒｏｖｅ，２２ｎｄＡｓｉｌｏｍａｒ  Ｃｏｎｆ．  Ｓｉｇｎａｌｓ，  Ｓｙｓｔ，  Ｃｏｍｐｕｔ．  Ｒｅｃ．，のＮ．Ｋ．Ｊａｂｌｏｎの論文“ブラインド等化のためのタイミング回復”、および１９９２年６月、ＩＥＥＥ  Ｔｒａｎｓａｃｔｉｏｎ  ｏｎＳｉｇｎａｌ  Ｐｒｏｃｅｓｓｉｎｇ，第４０巻、第６号のＮ．Ｋ．Ｊａｂｌｏｎの論文“ハイオーダＱＡＭ信号配置のためのジョイントブラインド等化、キャリア回復、およびタイミング回復”に記載されているように、直交振幅変調のバンドエッジ成分最大化ループを閉じる他のより複雑なアルゴリズムが提案されている。修正されたバンドエッジ成分最大化出力には本質的にバンドエッジ成分最大化出力と同じ情報が含まれるため、これらのアルゴリズムを使用して残留側波帯変調の修正されたバンドエッジ成分最大化性能を改善することができる。
【００２３】
本発明は、ここに参照として組み入れられている、１９９５年９月１１日の国際通信会議に提起されたＡｌａｎ  Ｇａｔｈｅｒｅの論文“残留側波帯変調におけるタイミング回復のためのバンドエッジ成分最大化”にも記載されている。
【００２４】
本発明およびその利点について詳細に説明してきたが、特許請求の範囲に明記された発明の精神および範囲を逸脱することなくさまざまな変更、置換および修正を行えることをお判り願いたい。
以上の説明に関して更に以下の項を開示する。
【００２５】
（１）  残留側波帯変調（ＶＳＢ）信号を受信する受信機のタイミング回復装置であって、該装置は、前記受信信号を第１の方向へ第１の所定量だけ周波数偏移させて第１の周波数偏移信号を発生する第１の手段と、前記受信信号を第１の方向へ第２の所定量だけ周波数偏移させて第２の周波数偏移信号を発生する第２の手段と、前記第１の周波数偏移手段に接続されて前記第１の周波数偏移信号を濾波する第１のフィルタと、前記第２の周波数偏移手段に接続されて前記第２の周波数偏移信号を濾波する第２のフィルタと、いずれの共役複素数をとることなく前記濾波された信号を乗算してタイミング情報を抽出することができる出力信号を発生する手段とを具備するタイミング回復装置。
【００２６】
（２）  第１項記載の装置であって、前記第１のフィルタが、
【数２５】
0003805439.tif 000026
であるタイミング回復装置。
【００２７】
（３）  第１項記載の装置であって、前記第２のフィルタが、
【数２６】
0003805439.tif 000027
であるタイミング回復装置。
【００２８】
（４）  第１項記載の装置であって、前記第１のフィルタが、
【数２７】
0003805439.tif 000028
であるタイミング回復装置。
【００２９】
（５）  第１項記載の装置であって、前記第１の周波数偏移手段は前記受信信号に
【数２８】
0003805439.tif 000029
を乗じ、ここにｆ1 は左への周波数偏移量であるタイミング回復装置。
【００３０】
（６）  第１項記載の装置であって、前記第２の周波数偏移手段は前記受信信号に
【数２９】
0003805439.tif 000030
を乗じ、ここにｆr は右への周波数偏移量であるタイミング回復装置。
【００３１】
（７）  第１項記載の装置であって、前記第１の周波数偏移手段は前記受信信号を左へ１／Ｔだけ偏移させ、ここにＴは前記信号により伝送される記号の記号周期であるタイミング回復装置。
【００３２】
（８）  第１項記載の装置であって、前記第２の周波数偏移手段は前記受信信号をゼロ量だけ偏移させるタイミング回復装置。
【００３３】
（９）  第１項記載の装置であって、前記第２の周波数偏移手段は前記受信信号に
【数３０】
0003805439.tif 000031
を乗じるタイミング回復装置。
【００３４】
（１０）  第１項記載の装置であって、さらに前記出力信号を受信して前記受信信号のサンプリングレートを制御する制御信号を発生する帰還ループを具備するタイミング回復装置。
【００３５】
（１１）  第１項記載の装置であって、該装置はさらに、前記出力信号を受信して移動平均を発生する第３のローパスフィルタと、前記第３のローパスフィルタに接続されて前記移動平均の位相を検出する位相検出器と、前記位相検出器に接続されて濾波された出力を発生するループフィルタと、前記ループフィルタに接続され前記濾波された出力に応答して制御信号を発生する電圧制御発振器と、前記ＶＳＢ信号を受信する前記電圧制御発振器に接続されそのサンプリングレートが前記制御信号により制御されるアナログデジタルコンバータとを具備するタイミング回復装置。
【００３６】
（１２）  受信機が受信する残留側波帯変調信号からタイミング情報を回復する方法であって、該方法は、前記ＶＳＢ信号を左へ所定量だけ周波数偏移させて前記ＶＳＢ信号の左側成分信号を発生するステップと、前記ＶＳＢ信号を右へ所定量だけ周波数偏移させて前記ＶＳＢ信号の右側成分信号を発生するステップと、前記左側成分信号を濾波して濾波された左側成分信号を発生するステップと、前記右側成分信号を濾波して濾波された右側成分信号を発生するステップと、いずれの信号の共役複素数もとることなく前記濾波された左側および右側成分信号を乗算することによりタイミング情報を有する出力信号を発生するステップとを含むタイミング情報回復方法。
【００３７】
（１３）  第１２項記載の方法であって、前記左側成分信号濾波ステップには、
【数３１】
0003805439.tif 000032
のフィルタを使用するステップが含まれているタイミング情報回復方法。
【００３８】
（１４）  第１２項記載の方法であって、前記右側成分信号濾波ステップには、
【数３２】
0003805439.tif 000033
のフィルタを使用するステップが含まれているタイミング情報回復方法。
【００３９】
（１５）  第１２項記載の方法であって、前記右側成分信号濾波ステップには、
【数３３】
0003805439.tif 000034
のフィルタを使用するステップが含まれているタイミング情報回復方法。
【００４０】
（１６）  第１２項記載の方法であって、さらに前記出力信号から制御信号を発生して前記ＶＳＢのサンプリングレートを制御するステップが含まれているタイミング情報回復方法。
【００４１】
（１７）  第１２項記載の方法であって、さらに、前記出力信号を低域濾波して移動平均を発生するステップと、前記移動平均の位相を検出するステップと、前記移動平均をループ濾波して濾波された出力を発生するステップと、前記濾波された出力に応答して制御信号を発生するステップと、前記ＶＳＢ信号を受信するアナログ／デジタルコンバータのサンプリングレートを制御するステップとを含むタイミング情報回復方法。
【００４２】
（１８）  第１２項記載の方法であって、前記左側成分信号発生ステップには前記ＶＳＢ信号を周波数偏移しないステップが含まれているタイミング情報回復方法。
【００４３】
（１９）  第１２項記載の方法であって、前記右側成分信号発生ステップには前記ＶＳＢ信号を右へ１／Ｔだけ周波数偏移するステップが含まれており、Ｔは前記ＶＳＢ信号により伝送される記号の記号レートであるタイミング情報回復方法。
【００４４】
（２０）  受信機が受信する残留側波帯（ＶＳＢ）変調信号からタイミング情報を回復する方法であって、該方法は、前記ＶＳＢ信号から左側成分信号を発生するステップと、前記ＶＳＢ信号に
【数３４】
0003805439.tif 000035
を乗じて右側成分信号を発生するステップと、前記左側成分信号を濾波するステップと、前記右側成分信号を濾波するステップと、いずれかの信号の共役複素数をとらずに前記濾波された左側および右側成分信号を乗算して出力信号を発生するステップと、前記出力信号から計算されたサンプリングレートで前記ＶＳＢ信号をサンプリングするステップとを含むタイミング情報回復方法。
【００４５】
（２１）  第２０項記載の方法であって、前記ＶＳＢ信号乗算ステップには前記ＶＳＢ信号に
【数３５】
0003805439.tif 000036
を乗じるステップが含まれているタイミング情報回復方法。
【００４６】
（２２）  第２０項記載の方法であって、前記低域濾波ステップには前記左側および右側成分信号を、それぞれ、
【数３６】
0003805439.tif 000037
および
【数３７】
0003805439.tif 000038
により低域濾波するステップが含まれているタイミング情報回復方法。
【００４７】
（２３）  残留側波帯（ＶＳＢ）変調信号からタイミング情報を回復する装置および方法１０は受信信号から左側成分信号および右側成分信号を発生し、フィルタＢ1 （ｆ）およびＢr （ｆ）１２，１４が左側および右側成分信号をそれぞれ濾波する。次に濾波された信号は、バンドエッジ成分最大化（ＢＥＣＭ）におけるように、いずれかの信号の共役複素数をとることなく一緒に乗算される。発生された出力信号を帰還ループで使用してアナログ／デジタルコンバータ３２のサンプルレートを調整することができる。
【図面の簡単な説明】
【図１】本発明の教示に従って構成されたタイミング回復回路およびアルゴリズムの実施例のブロック図。
【図２】複素ベースバンド信号のグラフ表示。
【図３】右へ偏移された複素ベースバンド信号のグラフ表示。
【図４】左へ偏移された複素ベースバンド信号のグラフ表示。
【図５】周波数平面内のデルタ関数エッジの位置を示す図。
【図６】周波数平面内のｓ＝−１に対する線積分位置を示す図。
【図７】Ａはバンドエッジ積分最大化のグラフ表示。Ｂは本発明によるタイミング回復方法のグラフ表示。
【図８】本発明の教示に従って構成された１次帰還ループを使用するタイミング回復回路およびアルゴリズムの実施例のブロック図。
【符号の説明】
１０  タイミング回復アルゴリズムおよび回路
１２，１４，４０  ローパスフィルタ
３０  タイミング回復回路
３２  アナログ／デジタルコントローラ
３６，３８  単極ＩＩＲフィルタ
４２  位相検出回路
４４  ループフィルタ
４６  電圧制御発振器
【図１】
0003805439.tif 000039
【図２】
0003805439.tif 000040
【図３】
0003805439.tif 000041
【図４】
0003805439.tif 000042
【図５】
0003805439.tif 000043
【図６】
0003805439.tif 000044
【図７】
0003805439.tif 000045
【図８】
0003805439.tif 000046